(57)【要約】【課題】取り扱いが容易であり、筆記具などに好適に適用することが可能な収容体を提供する。【解決手段】筆記具（収容体）１は、円筒状に形成されるとともに、先端面１０ａに半球状の保持部１０ｂが形成され、内部にインクが充填された本体１０と、先端部が外部に突出し、他の部分が本体１０内に収容されるように本体１０の保持部１０ｂによって保持されるペン芯１１と、本体１０の軸線方向に移動自在に本体１０の外周面に設けられた移動部材１２と、移動部材１２に取り付けられ、ペン芯１１の先端部や本体１０の保持部１０ｂを覆う蓋１３と、本体１０の外周面に支持され、蓋１３の外面と係合可能な係合部材１４とを備える。蓋１３は、揺動自在且つ外側に開くように、回転軸１５を介して移動部材１２に取り付けられており、係合部材１４の係合爪１４ａと係合する鍔部１３ｂを備える。【選択図】図１
2006264732.tif 000002
【特許請求の範囲】
【請求項１】
筒状に形成され、一端から被収容物の先端が突出した状態で該被収容物を収容，保持する本体と、前記被収容物の先端を覆う蓋とを備えた収容体であって、
前記本体の軸線方向に移動自在に該本体外周面に設けられる移動部材を更に備え、
前記蓋は、その端部が前記移動部材に取り付けられて、揺動自在且つ外側に開くように構成されてなることを特徴とする収容体。
【請求項２】
一端が開口した筒状に形成され、内部に被収容物が収容される本体と、前記本体の一端開口部を閉塞する蓋とを備えた収容体であって、
前記本体の軸線方向に移動自在に該本体外周面に設けられる移動部材を更に備え、
前記蓋は、その端部が前記移動部材に取り付けられて、揺動自在且つ外側に開くように構成されてなることを特徴とする収容体。
【請求項３】
前記蓋をその揺動方向における前記本体一端側に付勢して該蓋が閉じられた状態とする付勢機構を更に備えてなることを特徴とする請求項１又は２記載の収容体。
【請求項４】
前記本体外周面に、前記蓋の、前記本体一端側とは反対側の面と係脱自在に係合する係合爪を更に備えてなることを特徴とする請求項１又は２記載の収容体。
【請求項５】
前記収容体は、前記蓋の、前記本体一端側とは反対側の面と係合可能な係合爪を具備し、前記本体外周面に揺動自在に設けられる係合部材を更に備え、前記係合部材は、その揺動によって前記係合爪が前記蓋に対して離接するように構成されるとともに、前記係合爪が蓋に接近すると、該係合爪と蓋とが係合し、前記係合爪が蓋から離れると、該係合爪と蓋との係合関係が解除されるように構成されてなることを特徴とする請求項１又は２記載の収容体。
【発明の詳細な説明】
【技術分野】
【０００１】
本発明は、筒状に形成され、一端から被収容物の先端が突出した状態で当該被収容物を収容，保持する本体と、前記被収容物の先端を覆う蓋とを備えた収容体や、一端が開口した筒状に形成され、内部に被収容物が収容される本体と、前記本体の一端開口部を閉塞する蓋とを備えた収容体に関する。
【背景技術】
【０００２】
例えば、ホワイトボードなどに文字を書くための筆記具として、従来から様々なものが提案されており、その一つに、特開平８−２８２１７１号公報に開示されたものが知られている。
【０００３】
この筆記具は、内部にインクが充填され、先端部にペン芯が設けられた円筒状の本体と、本体先端部に着脱自在に装着され、ペン芯を覆うキャップとからなり、このキャップは、使用者によって、使用時には本体から取り外され、不使用時には本体に取り付けられるようになっている。
【０００４】
【特許文献１】特開平８−２８２１７１号公報
【発明の開示】
【発明が解決しようとする課題】
【０００５】
しかしながら、上記従来の筆記具では、これを使用するに当たり、本体からキャップを取り外さなければならず、取り外したキャップの取り扱いが面倒であった。このため、キャップの取り扱いが容易な筆記具の開発が望まれていた。
【０００６】
本発明は、以上の実情に鑑みなされたものであって、取り扱いが容易であり、筆記具などに好適に適用することが可能な収容体の提供をその目的とする。
【課題を解決するための手段】
【０００７】
上記目的を達成するための本発明は、
筒状に形成され、一端から被収容物の先端が突出した状態で該被収容物を収容，保持する本体と、前記被収容物の先端を覆う蓋とを備えた収容体であって、
前記本体の軸線方向に移動自在に該本体外周面に設けられる移動部材を更に備え、
前記蓋は、その端部が前記移動部材に取り付けられて、揺動自在且つ外側に開くように構成されてなることを特徴とする収容体に係る。
【０００８】
この収容体によれば、使用者は、蓋を移動部材に対し揺動させて外側に開けた後、移動部材を本体軸線方向に沿って当該本体の他端側に移動させることで、被収容物を所定の用途に使用することが可能となる。一方、使用後は、使用者が、移動部材を本体軸線方向に沿って当該本体の一端側に移動させた後、蓋を移動部材に対し揺動させて閉じると、被収容物の先端が蓋に覆われて収納される。
【０００９】
斯くして、本発明に係る収容体によれば、移動部材を本体にその軸線方向に沿って移動自在に設けるとともに、当該移動部材に蓋を揺動自在に取り付けているので、従来のように、蓋と本体とが分離するようなことはなく、取り扱いが容易である。また、移動部材を移動させることで、蓋の、移動部材取付側の端部とは反対側の端部が被収容物の先端よりも突出するのを防止することができるので、被収容物の使用時に、開いた蓋によって当該収容体の使い勝手が低下することは無い。
【００１０】
また、本発明は、
一端が開口した筒状に形成され、内部に被収容物が収容される本体と、前記本体の一端開口部を閉塞する蓋とを備えた収容体であって、
前記本体の軸線方向に移動自在に該本体外周面に設けられる移動部材を更に備え、
前記蓋は、その端部が前記移動部材に取り付けられて、揺動自在且つ外側に開くように構成されてなることを特徴とする収容体に係る。
【００１１】
この収容体によれば、使用者は、上記と同様に、蓋を移動部材に対し揺動させて外側に開けた後、移動部材を本体軸線方向に沿って当該本体の他端側に移動させることで、被収容物を所定の用途に使用することが可能となる。また、上記と同様に、使用者が、移動部材を本体軸線方向に沿って当該本体の一端側に移動させた後、蓋を移動部材に対し揺動させて閉じることで、本体の一端開口部が閉塞される。
【００１２】
斯くして、本発明に係る収容体によっても、上記と同様に、蓋と本体とが分離しないので、取り扱いが容易である。また、移動部材を移動させて、蓋が本体の一端よりも突出するのを防止することができ、被収容物の使用時に、開いた蓋によって当該収容体の使い勝手が低下することは無い。
【００１３】
尚、前記収容体は、前記蓋をその揺動方向における前記本体一端側に付勢して該蓋が閉じられた状態とする付勢機構を更に備えていても良く、また、前記収容体は、前記本体外周面に、前記蓋の、前記本体一端側とは反対側の面と係脱自在に係合する係合爪を更に備えていても良く、また、前記収容体は、前記蓋の、前記本体一端側とは反対側の面と係合可能な係合爪を具備し、前記本体外周面に揺動自在に設けられる係合部材を更に備え、前記係合部材は、その揺動によって前記係合爪が前記蓋に対して離接するように構成されるとともに、前記係合爪が蓋に接近すると、該係合爪と蓋とが係合し、前記係合爪が蓋から離れると、該係合爪と蓋との係合関係が解除されるように構成されていても良く、このようにすれば、使用者の不注意など何らかの拍子に蓋が開くのを効果的に防止することができ、使い勝手が向上する。
【００１４】
尚、前記被収容物としては、例えば、筆記具のペン芯や、棒状の化粧品や糊などを挙げることができるが、これらに限定されるものではない。
【発明の効果】
【００１５】
以上のように、本発明に係る収容体によれば、移動部材を本体にその軸線方向に沿って移動自在に設けるとともに、当該移動部材に蓋を揺動自在に取り付けたので、取り扱いが容易であり、且つ被収容物の使用時に蓋が邪魔になるのを効果的に防止することができる。これにより、当該収容体の使い勝手を向上させることができる。
【発明を実施するための最良の形態】
【００１６】
以下、本発明の具体的な実施形態について、添付図面に基づき説明する。尚、図１は、本発明の一実施形態に係る収容体たる筆記具の概略構成を示した断面図であり、図２は、図１における矢示Ａ方向の側面図であり、図３は、図１における矢示Ｂ方向の側面図であり、図４は、図１における矢示Ｃ方向の側面図である。
【００１７】
図１乃至図４に示すように、本例の筆記具（収容体）１は、例えば、ホワイトボードなどに文字を書くときに使用されるものであり、円筒状に形成されるとともに、先端面１０ａに半球状の保持部１０ｂが形成され、内部にインクが充填された本体１０と、先端部が外部に突出し、他の部分が本体１０内に収容されるように、且つ軸線が本体１０の軸線と同軸となるように、本体１０の保持部１０ｂによって保持されるペン芯（被収容物）１１と、本体１０の軸線方向に移動自在に当該本体１０の外周面に設けられた移動部材１２と、移動部材１２に取り付けられ、ペン芯１１の先端部や本体１０の保持部１０ｂを覆う蓋１３と、本体１０の外周面に支持され、蓋１３の外面と係合可能な係合部材１４などから構成される。
【００１８】
前記本体１０は、横断面形状がＴ字状をし、軸線方向に沿って形成される案内溝１０ｃと、係合部材１４を支持する支持突起１０ｄとを先端側外周面に備えており、この案内溝１０ｃと支持突起１０ｄとは、円周方向において１８０°ずれた位置にそれぞれ形成されている。
【００１９】
前記移動部材１２は、矩形状に形成されて長手方向が本体１０の軸線方向に沿うように設けられており、本体１０の案内溝１０ｃと係合し、横断面形状がＴ字状に形成された係合部１２ａと、蓋１３が取り付けられる取付部１２ｂとを備える。また、移動部材１２は、本体１０の案内溝１０ｃと係合部１２ａとの係合関係によって当該本体１０の軸線方向に移動自在となっており、取付部１２ｂは、移動部材１２の、本体１０先端側の移動端位置において、本体１０の先端面１０ａよりも突出している。尚、移動部材１２の、本体１０後端側の移動端位置は、開いた蓋１３がペン芯１１の先端部よりも突出しないような位置に設定される。
【００２０】
前記蓋１３は、半球状に形成されて内部が中空となっており、外周面には、外方に突出し、移動部材１２の取付部１２ｂに取り付けられる取付部１３ａと、外方に突出した鍔部１３ｂとが形成される。尚、この取付部１３ａと鍔部１３ｂとは、円周方向において１８０°ずれた位置にそれぞれ設けられる。
【００２１】
移動部材１２の取付部１２ｂと蓋１３の取付部１３ａとは、本体１０の軸線と直交するように配置された回転軸１５を介して取り付けられ、蓋１３は、この回転軸１５を揺動中心にして揺動自在且つ外側に開くように構成されている。
【００２２】
前記係合部材１４は、矩形状の部材から構成されて、その長手方向の一方端側に蓋１３の鍔部１３ｂ（鍔部１３ｂの、本体１０先端側とは反対側の面）と係合可能な係合爪１４ａを備えており、長手方向の中央部が、本体１０の軸線と直交するように配置された回転軸１６を介して本体１０の支持突起１０ｄに支持され、この回転軸１６を揺動中心にして揺動自在となっている。
【００２３】
また、係合部材１４は、回転軸１６を揺動中心にして揺動することで、係合爪１４ａが鍔部１３ｂに対して離接し、係合爪１４ａが鍔部１３ｂに接近すると、当該係合爪１４ａと鍔部１３ｂとが係合する一方、係合爪１４ａが鍔部１３ｂから離れると、当該係合爪１４ａと鍔部１３ｂとの係合関係が解除されるように構成されている。
【００２４】
尚、前記蓋１３や係合部材１４は、蓋１３及び移動部材１２の一方に形成された凸部（図示せず）と他方に形成された凹部（図示せず）との係合関係や、係合部材１４及び本体１０の支持突起１０ｄの一方に形成された凸部（図示せず）と他方に形成された凹部（図示せず）との係合関係によって、揺動方向における所定の回転角度位置で係止されるようになっている。また、前記移動部材１２についても、同様に、移動部材１２の係合部１２ａ及び本体１０の案内溝１０ｃの一方に形成された凸部（図示せず）と他方に形成された凹部（図示せず）との係合関係によって、移動方向における所定の移動位置で係止されるようになっている。
【００２５】
以上のように構成された本例の筆記具１によれば、使用者は、当該筆記具１を以下のようにして使用することができる。即ち、当該筆記具１を使用する際には、まず、係合部材１４の他方端側を外側から押して当該係合部材１４を回転軸１６中心に揺動させると、係合爪１４ａが蓋１３の鍔部１３ｂから離れて当該係合爪１４ａと鍔部１３ｂとの係合関係が解除され、当該係合部材１４は、図１の二点鎖線で示すような回転角度位置で係止される。
【００２６】
次に、蓋１３を回転軸１５中心に揺動させて外側に開け、図１の二点鎖線で示すような回転角度位置で係止させた後、移動部材１２を本体１０の軸線方向に沿って当該本体１０の後端側に移動させ、図１の二点鎖線で示すような移動位置で係止させる。これにより、使用者は、当該筆記具１を用いて文字を書くことが可能となる。
【００２７】
そして、当該筆記具１の使用後は、まず、移動部材１２を本体１０の軸線方向に沿って当該本体１０の先端側に移動させ、図１の実線で示すような移動位置で係止させた後、蓋１３を回転軸１５中心に揺動させて閉じる。
【００２８】
この後、係合部材１４の一方端側を外側から押して当該係合部材１４を回転軸１６中心に揺動させると、係合爪１４ａが蓋１３の鍔部１３ｂに接近して当該係合爪１４ａと鍔部１３ｂとが係合し、当該係合部材１４は、図１の実線で示すような回転角度位置で係止される。これにより、ペン芯１１が蓋１３に覆われて収納されるとともに、蓋１３が係合爪１４ａによって固定される。
【００２９】
斯くして、本例の筆記具１によれば、移動部材１２を本体１０にその軸線方向に沿って移動自在に設けるとともに、当該移動部材１２に蓋１３を揺動自在に取り付けているので、従来のように、蓋１３と本体１０とが分離するようなことはなく、取り扱いが容易である。また、移動部材１２を移動させることで、蓋１３の鍔部１３ｂ側の端部がペン芯１１の先端部よりも突出するのを防止することができるので、当該筆記具１の使用時に、開いた蓋１３が邪魔になるのを効果的に防止することができる。これにより、当該筆記具１の使い勝手を向上させることができる。
【００３０】
また、蓋１３の鍔部１３ｂと係合部材１４の係合爪１４ａとを係合させて、当該蓋１３を固定することで、使用者の不注意など何らかの拍子に蓋１３が開くのを効果的に防止することができ、このことによっても、当該筆記具１の使い勝手を向上させることができる。
【００３１】
以上、本発明の一実施形態について説明したが、本発明の採り得る具体的な態様は、何らこれに限定されるものではない。
【００３２】
例えば、図５に示すように、前記係合部材１４に代えて、蓋１３の鍔部１３ｂと係脱自在に係合する係合爪１７を本体１０の先端側外周面に設けるようにしても、上記と同様の効果を得ることができる。尚、この係合爪１７は、その先端部が先細に傾斜して形成されており、当該傾斜面と鍔部１３ｂとが当接して当該係合爪１７が撓むことで、鍔部１３ｂと係脱自在に係合するようになっている。
【００３３】
また、図６に示すように、蓋１３が閉じる方向に当該蓋１３を付勢するばね体（付勢機構）（図示せず）を適宜設け、このばね体（図示せず）の付勢力によって蓋１３を閉じるようにしても、上記と同様の効果を得ることができる。尚、蓋１３は、その鍔部１３ｂが省略されて構成され、また、移動部材１２を本体１０の後端側に移動させると、本体１０の外周面に当接した状態となる。
【００３４】
また、前記蓋１３や係合部材１４を、これらの揺動方向における所定の回転角度位置で係止させるように構成するのではなく、蓋１３が開く方向に当該蓋１３を付勢するばね体（図示せず）を適宜設け、移動部材１２の取付部１２ｂに、蓋１３の揺動を規制して当該蓋１３の開口角度を所定の角度にするストッパ（図示せず）を適宜設け、係合部材１４の係合爪１４ａが蓋１３の鍔部１３ｂ側に接近するように当該係合部材１４を付勢するばね体（図示せず）を適宜設けて構成しても良い。
【００３５】
このようにすれば、使用者が、係合部材１４の他方端側を外側から押して、当該係合部材１４をばね体（図示せず）の付勢力に抗して回転軸１６中心に揺動させ、係合爪１４ａと鍔部１３ｂとの係合関係が解除されると、蓋１３は、ばね体（図示せず）の付勢力により外側に開いてストッパ（図示せず）に当接する。この後、移動部材１２を本体１０の後端側に移動させることで、文字を書くことが可能になる。
【００３６】
そして、使用後は、移動部材１２を本体１０の先端側に移動させ、蓋１３をばね体（図示せず）の付勢力に抗し回転軸１５中心に揺動させて閉じるが、このとき、係合部材１４の他方端側を外側から押して、係合部材１４をばね体（図示せず）の付勢力に抗して揺動させておき、蓋１３が完全に閉じた後、係合部材１４を揺動させて係合爪１４ａと鍔部１３ｂとを係合させる。
【００３７】
この場合において、鍔部１３ｂの本体１０側の角部や、係合爪１４ａの、鍔部１３ｂとは反対側の角部を傾斜面に形成し、蓋１３が閉じるときの力により係合部材１４をばね体（図示せず）の付勢力に抗し揺動させて当該係合部材１４と鍔部１３ｂとを係合させるようにしても良い。
【００３８】
また、上例では、本発明に係る収容体を筆記具１として構成したが、これに限られるものではなく、例えば、図７乃至図９に示すような化粧用容器３０として構成することもできる。尚、図７及び図８は、本発明の他の実施形態に係る収容体たる化粧用容器の概略構成を示した断面図であり、図９は、図７における矢示Ｄ−Ｄ方向の断面図である。
【００３９】
この化粧用容器３０は、先端が開口した円筒状に形成される本体３１と、本体３１内にその軸線方向に移動自在に収容され、棒状の化粧品（被収容物）Ｋを保持する保持部材３２と、本体３１の軸線方向に移動自在に当該本体３１の外周面に設けられる前記移動部材１２と、移動部材１２に取り付けられ、本体３１の先端開口部を閉塞する蓋３３と、本体３１の外周面に支持され、蓋３３の外面（本体３１側とは反対側の面）と係合可能な前記係合部材１４と、保持部材３２を本体３１の軸線方向に移動させる繰出機構３４などから構成される。
【００４０】
前記本体３１は、横断面形状がＴ字状をして軸線方向に沿って形成され、移動部材１２の係合部１２ａと係合する案内溝３１ａと、係合部材１４を支持する支持突起３１ｂとを先端側外周面に備えており、この案内溝３１ａと支持突起３１ｂとは、円周方向において１８０°ずれた位置にそれぞれ形成される。
【００４１】
前記蓋３３は、本体３１の外径と同径をした円板状の部材から構成されており、蓋３３の外面（本体３１側とは反対側の面）に、前記回転軸１５を介して移動部材１２の取付部１２ｂに取り付けられる取付部３３ａを備え、当該回転軸１５を揺動中心にして揺動自在且つ外側に開くようになっている。尚、この蓋３３の外面には、係合部材１４の係合爪１４ａが係合するようになっている。
【００４２】
前記繰出機構３４は、本体３１の後端部に、当該本体３１に対して相対回転可能に取り付けられた回転体３５と、本体３１の内周面に形成された螺旋溝３１ｃと、保持部材３２の外周面に形成され、本体３１の螺旋溝３１ｃと係合する係合突起３２ａなどからなる。
【００４３】
前記回転体３５には、保持部材３２が嵌挿される嵌挿穴３５ａと、保持部材３２の係合突起３２ａと係合し、回転体３５の軸線方向に沿って設けられる係合溝３５ｂとが形成されており、保持部材３２は、当該回転体３５の軸線方向に移動自在となっている。また、回転体３５は、その後端部側を除き、本体３１内に嵌挿されている。
【００４４】
このように構成された化粧用容器３０によれば、使用者は、上記筆記具１と同様にして、蓋３３を開け、移動部材１２を本体３１の後端側に移動させた後、回転体３５を本体３１に対して相対的に回転させると、当該回転体３５の係合溝３５ｂと保持部材３２の係合突起３２ａとの係合関係、及び本体３１の螺旋溝３１ｃと保持部材３２ａの係合突起３２ａとの係合関係により、保持部材３２が本体３１の軸線方向に移動するので、これにより、化粧品Ｋを本体３１の先端開口部から出没させることができる。
【００４５】
そして、使用者は、本体３１の先端開口部から突出させた化粧品Ｋを使用すると、回転体３５を本体３１に対し相対的に回転させて、化粧品Ｋを本体３１内に引き込んだ後、上記筆記具１と同様にして、移動部材１２を本体３１の先端側に移動させて蓋３３を開じ、係合部材１４の係合爪１４ａによって固定することができる。
【００４６】
このように、化粧用容器３０として構成しても、上記筆記具１のときと同様の効果を得ることができる。尚、この化粧用容器３０において、保持部材３２に保持された化粧品Ｋを、例えば、棒状の糊に代えると、当該化粧用容器３０を糊用容器として機能させることができる。
【００４７】
また、前記繰出機構３４の構成は、上例のものに限定されるものではなく、各種の構成を採用することができる。
【図面の簡単な説明】
【００４８】
【図１】本発明の一実施形態に係る収容体たる筆記具の概略構成を示した断面図である。
【図２】図１における矢示Ａ方向の側面図である。
【図３】図１における矢示Ｂ方向の側面図である。
【図４】図１における矢示Ｃ方向の側面図である。
【図５】本発明の他の実施形態に係る筆記具の概略構成を示した断面図である。
【図６】本発明の他の実施形態に係る筆記具の概略構成を示した断面図である。
【図７】本発明の他の実施形態に係る収容体たる化粧用容器の概略構成を示した断面図である。
【図８】本発明の他の実施形態に係る収容体たる化粧用容器の概略構成を示した断面図である。
【図９】図７における矢示Ｄ−Ｄ方向の断面図である。
【符号の説明】
【００４９】
１      筆記具
１０    本体
１０ａ  先端面
１０ｂ  保持部
１０ｃ  案内溝
１０ｄ  支持突起
１１    ペン芯
１２    移動部材
１２ａ  係合部
１２ｂ  取付部
１３    蓋
１３ａ  取付部
１３ｂ  鍔部
１４    係合部材
１４ａ  係合爪
１５    回転軸
１６    回転軸
【図１】
2006264732.tif 000003
【図２】
2006264732.tif 000004
【図３】
2006264732.tif 000005
【図４】
2006264732.tif 000006
【図５】
2006264732.tif 000007
【図６】
2006264732.tif 000008
【図７】
2006264732.tif 000009
【図８】
2006264732.tif 000010
【図９】
2006264732.tif 000011